(57)【要約】【課題】  ２つの対物レンズを搭載する光ピックアップ装置を小型化する。【解決手段】  ２つの対物レンズ２３１および２５−２を搭載するボビン２２１では、対物レンズ２３１の集光に影響のないフランジ部２０２−１の、対物レンズ２５１に近接する部分が直線状にカットされ、そのカットされた分だけ、対物レンズ２３１−と２５−２との中心間距離が短縮され、ボビン２２１が小型化されている。本発明は、例えば、２つの対物レンズを搭載する光ピックアップ装置に適用できる。【選択図】図１０
2006172610.tif 000002
【特許請求の範囲】
【請求項１】
第１と第２の対物レンズが搭載されたボビンを備えるピックアップ装置において、
前記第１または第２の対物レンズのうちの少なくとも一方の、集光に影響のない外周部がカットされており、
前記第１と第２の対物レンズが、前記外周部がカットされた分に応じて近接して配置されている
ことを特徴とする光ピックアップ装置。
【請求項２】
前記対物レンズの外周部は直線状にカットされている
ことを特徴とする請求項１に記載の光ピックアップ装置。
【請求項３】
前記第１の対物レンズの外周部は前記第２の対物レンズの外形に沿ってカットされており、
前記第１の対物レンズのカットされた凹部と、前記第２の対物レンズとが接して配置されている
ことを特徴とする請求項１に記載の光ピックアップ装置。
【請求項４】
前記対物レンズは、プラスチックレンズまたはガラスレンズである
ことを特徴とする請求項１に記載の光ピックアップ装置。
【発明の詳細な説明】
【技術分野】
【０００１】
本発明は、光ピックアップ装置に関し、特に、２つの対物レンズを搭載する光ピックアップ装置を小型化することができる光ピックアップ装置に関する。
【背景技術】
【０００２】
近年、CD(Compact Disk)，DVD(Digital Versatile Disk)、またはBD(Blu-ray Disk)などの様々な光ディスクのディスクドライブ装置が登場している。
【０００３】
CD，DVD、またはBDそれぞれのディスクドライブ装置では、照射されるレーザ光の波長、光ディスクの厚さ、対物レンズのN.A.（開口数）などが異なる。例えば、CDに照射されるレーザ光の波長は、７８５nmであり、DVDに照射されるレーザ光の波長は６６０nmであり、BDに照射されるレーザ光の波長は４０５nmである。
【０００４】
２波長に対応する光ピックアップ装置のなかで、１つの対物レンズをCD用の対物レンズとし、もう１つの対物レンズをDVD用の対物レンズとする２つの対物レンズを用いた光ピックアップ装置は既に存在する（例えば、特許文献１，２、および３参照）。
【０００５】
また、CDおよびDVD用の２波長互換の１つの対物レンズを用いて、１台でＣＤおよびDVDの２種類の光ディスクに対して記録または再生可能なディスクドライブ装置もある。
【０００６】
１台でCD，DVD、およびBDの３種類の光ディスクに対して記録または再生可能なディスクドライブ装置を考えた場合、CD，DVD、およびBD用の３波長互換の対物レンズを用いた光ピックアップ装置は、不可能ではないものの、対物レンズや光ピックアップ装置が大型化するという問題や、製造コストが高くなるという問題がある。
【０００７】
そこで、光ピックアップ装置において、２つの対物レンズを使用して、CD，DVD、およびBDの３種類の光ディスクに対して記録又は再生を行うようにすることが考えられる。即ち、上述したように、CDおよびDVDの２波長互換の対物レンズは、既に実用化されているので、例えば、一方の対物レンズをCDおよびDVD用の対物レンズとし、他方の対物レンズをBD用の対物レンズとして光ピックアップ装置に搭載する。
【０００８】
【特許文献１】特開平１１−２３９６０号公報
【特許文献２】特開平１１−２５９８９１号公報
【特許文献３】特開平１１−６４７２４号公報
【発明の開示】
【発明が解決しようとする課題】
【０００９】
しかしながら、光ピックアップ装置に搭載する対物レンズを２つにした場合、やはり光ピックアップ装置が大型化してしまう。
【００１０】
本発明は、このような状況に鑑みてなされたものであり、２つの対物レンズを搭載する光ピックアップ装置を小型化することができるようにするものである。
【課題を解決するための手段】
【００１１】
本発明の光ピックアップ装置は、第１または第２の対物レンズのうちの少なくとも一方の、集光に影響のない外周部がカットされており、第１と第２の対物レンズが、外周部がカットされた分に応じて近接して配置されていることを特徴とする。
【００１２】
対物レンズの外周部は直線状にカットされているようにさせることができる。
【００１３】
第１の対物レンズの外周部は第２の対物レンズの外形に沿ってカットされており、第１の対物レンズのカットされた凹部と、第２の対物レンズとが接して配置されているようにさせることができる。
【００１４】
対物レンズは、プラスチックレンズまたはガラスレンズとすることができる。
【００１５】
本発明においては、第１または第２の対物レンズのうちの少なくとも一方の、集光に影響のない外周部がカットされ、第１と第２の対物レンズが、外周部がカットされた分に応じて近接して配置される。
【発明の効果】
【００１６】
本発明によれば、２つの対物レンズを搭載する光ピックアップ装置を小型化することができる。
【発明を実施するための最良の形態】
【００１７】
以下に本発明の実施の形態を説明するが、請求項に記載の構成要件と、発明の実施の形態における具体例との対応関係を例示すると、次のようになる。この記載は、請求項に記載されている発明をサポートする具体例が、発明の実施の形態に記載されていることを確認するためのものである。従って、発明の実施の形態中には記載されているが、構成要件に対応するものとして、ここには記載されていない具体例があったとしても、そのことは、その具体例が、その構成要件に対応するものではないことを意味するものではない。逆に、具体例が構成要件に対応するものとしてここに記載されていたとしても、そのことは、その具体例が、その構成要件以外の構成要件には対応しないものであることを意味するものでもない。
【００１８】
さらに、この記載は、発明の実施の形態に記載されている具体例に対応する発明が、請求項に全て記載されていることを意味するものではない。換言すれば、この記載は、発明の実施の形態に記載されている具体例に対応する発明であって、この出願の請求項には記載されていない発明の存在、すなわち、将来、分割出願されたり、補正により追加される発明の存在を否定するものではない。
【００１９】
請求項１に記載の光ピックアップ装置は、
第１と第２の対物レンズが搭載されたボビンを備えるピックアップ装置（例えば、図５の光ピックアップ部７０）において、
前記第１または第２の対物レンズ（例えば、図１１の対物レンズ２３１および２５１）のうちの少なくとも一方の、集光に影響のない外周部（例えば、フランジ部２０２−１および２０２−２）がカットされており、
前記第１と第２の対物レンズが、前記外周部がカットされた分に応じて近接して配置されている
ことを特徴とする。
【００２０】
請求項２に記載の光ピックアップ装置は、
前記対物レンズの外周部は直線状にカットされている（例えば、図１０の対物レンズ２３１）
ことを特徴とする。
【００２１】
請求項３に記載の光ピックアップ装置は、
前記第１の対物レンズの外周部は前記第２の対物レンズの外形に沿ってカットされており、
前記第１の対物レンズのカットされた凹部と、前記第２の対物レンズとが接して配置されている（例えば、図１２の対物レンズ２５−２および２７１）
ことを特徴とする。
【００２２】
初めに、図１を参照して、本実施の形態で使用する軸方向の呼称について説明する。なお、図１は、対物レンズが１つの光ピックアップ装置の例である。
【００２３】
図１に示すように、光ディスク１は、不図示のディスクドライブ装置内のスピンドルモータ２上に載置され、スピンドルモータ２により回転駆動されるようになされている。
【００２４】
光ディスク（CD，DVD、またはBD）１の下方に、不図示の３軸アクチュエータによって３軸方向に駆動されるボビン３が配置される。ボビン３の上面には、対物レンズ４が搭載されている。
【００２５】
図１において、光ディスク１のディスク面に垂直な方向をフォーカス方向、光ディスク１の半径方向（トラッキング方向）をラジアル方向（Rad方向）、ラジアル方向と垂直な方向をタンジェンシャル方向（Tan方向）という。また、ボビン３より所定距離下方の点Ａを中心として、ラジアル方向の軸上を円弧状に運動するボビン３の傾きを表す方向をラジアルチルト方向（Rad/Tilt方向）、点Ａを中心として、タンジェンシャル方向の軸上を円弧状に運動するボビン３の傾きを表す方向をタンジェンシャルチルト方向（Tan/Tilt方向）という。
【００２６】
図２は、本発明を適用したディスクドライブ装置の斜視図を示している。
【００２７】
図２のディスクドライブ装置１１は、CD，DVD、およびBDへの記録又は再生が可能な３波長対応のディスクドライブ装置である。
【００２８】
ディスクドライブ装置１１は、固定プレート２１によって、パーソナルコンピュータやAV(Audio and Visual)機器などの主装置（不図示）に取り付けられる。また、固定プレート２１の上面には、装置本体２２が固定されている。
【００２９】
装置本体２２は、スピンドルモータ２３、キャリッジ２４、対物レンズ２５−１および２５−２、ボビン２６、スクリュー２７、並びにトラッキングモータ２８等で構成されている。
【００３０】
光ディスク１は、スピンドルモータ２３によって所定の速度（角速度）で回転駆動される。光ディスク１の下方には、キャリッジ２４が配置され、キャリッジ２４は、２つの対物レンズ２５−１および２５−２、並びにボビン２６等を収納している。
【００３１】
波長が４０５nm（BD），７８５nm（CD）、または６６０nm（DVD）のレーザ光は、対物レンズ２５−１または２５−２を通って光ディスク１に照射される。そして、ボビン２６が、光ディスク１のそりなどに追従するように、図示せぬ３軸アクチュエータにより、上述のフォーカス方向、ラジアル方向、およびラジアルチルト方向の３軸方向に駆動される。
【００３２】
トラッキングモータ２８は、スクリュー２７を回転駆動させ、スクリュー２７に対して摺動可能となされているキャリッジ２４をラジアル方向（トラッキング方向）の広い範囲（光ディスク１の内周側乃至外周側）で移動させる。
【００３３】
装置本体２２の前面（図２中右側）には、前面パネル４１が固定プレート２１および装置本体２２に固定されている。
【００３４】
前面パネル４１の取り出しボタン４２をユーザが押下することにより、主装置に格納されているディスクドライブ装置１１が主装置から引き出され、光ディスク１を装着または取り出すことができるようになっている。
【００３５】
また、ユーザが光ディスク１に記録されている音楽（オーディオデータ）を再生した場合、前面パネル４１に設けられているヘッドフォンジャック４３にヘッドフォンプラグを差込み、ボリュームつまみ４４でボリュームを調整することにより、ユーザは、再生されている音楽をヘッドフォンで聴くことができるようになされている。
【００３６】
図３は、ディスクドライブ装置１１の制御に関する機能的なブロック図である。なお、図２と対応する部分については、同一の符号を付してある。
【００３７】
対物レンズ２５−１および２５−２や、ボビン２６（図２）などで構成される光ピックアップ部（光ピックアップ装置）７０は、光ディスク１に所定の波長のレーザ光を照射し、光ディスク１から反射して返ってくる反射光をフォトディテクタ（PD）で検出し、その検出した反射光を電気信号に変換して、PD信号として演算回路７１に出力する。
【００３８】
光ピックアップ部７０の３軸アクチュエータ７５およびコマ収差補正素子７６は、光ディスク１に照射されるレーザ光が光ディスク１のそりなどに追従するように、あるいは、コマ収差を補正するように、制御回路７３により制御される。
【００３９】
即ち、３軸アクチュエータ７５は、図１で示した、フォーカス方向、ラジアル方向、およびラジアルチルト方向の３軸方向に対して、対物レンズ２５−１および２５−２が搭載されたボビン２６を駆動する。コマ収差補正素子７６は、そこを通過するレーザ光の屈折率を変化させることにより、対物レンズ２５−２の相対スキュー（コマ収差）を補正する（図５および図６を参照して詳述）。
【００４０】
演算回路７１は、光ピックアップ部７０から供給されるPD信号から、情報再生用のデータ検出信号（RF信号）、フォーカスエラー信号、およびトラッキングエラー信号を算出し、データ検出信号を再生回路７２に出力するとともに、フォーカスエラー信号およびトラッキングエラー信号を制御回路７３に出力する。
【００４１】
再生回路７２は、演算回路７１から供給されたデータ検出信号をイコライズした後、２値化し、さらに、エラー訂正しながら復調した信号を、再生信号として、主装置に出力する。
【００４２】
制御回路７３は、入力装置７４から供給されるユーザの操作に対応した操作信号に応じて、ディスクドライブ装置１１の各部を制御する。
【００４３】
例えば、制御回路７３は、入力装置７４から供給される光ディスク１の再生開始を表す操作信号に対応して、スピンドルモータ２３を制御し、光ディスク１を所定の速度（角速度）で回転駆動させる。また、制御回路７３は、光ピックアップ部７０が光ディスク１の所定のトラッキング位置となるようにトラッキングモータ２８および３軸アクチュエータ７５（のラジアル方向）を制御する。
【００４４】
さらに、制御回路７３は、３軸アクチュエータ７５を制御することにより、ボビン２６をフォーカス方向に駆動させ、対物レンズ２５−１および２５−２を通過したレーザ光を光ディスク１上に集光させる。また、制御回路７３は、３軸アクチュエータ７５およびコマ収差補正素子７６を制御することにより、対物レンズ２５−１および２５−２のコマ収差を補正する。
【００４５】
図４は、光ピックアップ部７０のキャリッジ２４（図２）内の詳細な構成を示す斜視図である。
【００４６】
薄型平面状のベース１０１上面の片側（図中右奥側）に、固定部材１０２が固着されている。ボビン２６は、その上面に２つの対物レンズ２５−１および２５−２をタンジェンシャル方向に並んで搭載しており、サスペンションワイヤ１０３a乃至１０３cおよび１０４aにより固定部材１０２と連結されている。即ち、サスペンションワイヤ１０３a乃至１０３cおよび１０４aの一端はボビン２６に固定され、他端は固定部材１０２に固定されている。なお、図示していないが、サスペンションワイヤ１０４aの下方にサスペンションワイヤ１０３bおよび１０３cと対向するように２本のサスペンションワイヤが設けられており、ボビン２６は、計６本のサスペンションワイヤにより支持されている。
【００４７】
３軸アクチュエータ７５（図３）は、ボビン２６の周辺（または側面）に巻線されたフォーカシングコイル（不図示）、チルトコイル（不図示）、トラッキングコイル１０６aおよび１０６b、トラッキングコイル１０６aおよび１０６bとボビン２６を挟んで対向する位置に設けられている不図示の２つのトラッキングコイル、タンジェンシャル方向にボビン２６を挟んで対向するように配置されたマグネット１０７aおよび１０７ｂ、並びに、マグネット１０７aおよび１０７ｂそれぞれを固定するヨーク１０８aおよび１０８bにより構成されている。
【００４８】
３軸アクチュエータ７５は、フォーカス方向、ラジアル方向（Rad方向）、およびラジアルチルト方向の３軸方向に対して、６本のサスペンションワイヤにより遊動自在に支持されたボビン２６を駆動する。
【００４９】
図５は、光ピックアップ部７０の光学系の構成例を示している。図５において、横（左右）方向がタンジェンシャル方向を表し、縦（上下）方向がフォーカス方向を表している。
【００５０】
光ピックアップ部７０のうちの第１の光学系は、少なくとも、レーザダイオード１４１−１、コリメータレンズ１４２−１、および対物レンズ２５−１により構成されている。また、光ピックアップ部７０のうちの第２の光学系は、少なくとも、レーザダイオード１４１−２、コリメータレンズ１４２−２、コマ収差補正素子７６、および対物レンズ２５−２により構成されている。
【００５１】
第1の光学系において、レーザダイオード１４１−１は、BDに対応する４０５nmの波長のレーザ光を出射する。レーザダイオード１４１−１から出射されたレーザ光は、コリメータレンズ１４２−１により平行光にされ、対物レンズ２５−１に入射する。対物レンズ２５−１は、入射してきたレーザ光を光ディスク１に集光し、光スポットを形成させる。ここで、対物レンズ２５−１は、光ディスク１の中心を通る同径ライン上に配置されている。
【００５２】
第2の光学系において、レーザダイオード１４１−２は、CDまたはDVDにそれぞれ対応する７８５nmまたは６６０nmの（２種類の）波長のレーザ光を出射する。レーザダイオード１４１−２から出射されたレーザ光は、コリメータレンズ１４２−２により平行光にされ、コマ収差補正素子７６を介して、対物レンズ２５−２に入射する。対物レンズ２５−２は、入射してきたレーザ光を光ディスク１に集光し、光スポットを形成させる。
【００５３】
ところで、図５に示すボビン２６（を含む光ピックアップ部７０）をディスクドライブ装置１１内に組み付ける場合、上述したように、２つの対物レンズ２５−１および２５−２のいずれか一方の対物レンズの、タンジェンシャルチルト方向のエラーが最小となるようにボビン２６が組み付けられる。本実施の形態では、光ピックアップ部７０の第１の光学系において、タンジェンシャルチルト方向のエラーがなくなるように（最小となるように）ボビン２６が組み付けられるものとする。
【００５４】
従って、第1の光学系では、タンジェンシャルチルト方向のエラーがなくなり、さらに、フォーカス方向、ラジアル方向、およびラジアルチルト方向のエラーについても、３軸アクチュエータによって、それぞれのエラーがなくなるように駆動されるので、全てのエラーに対する調整（制御）が行われることになる。
【００５５】
一方、第２の光学系では、フォーカス方向、ラジアル方向、およびラジアルチルト方向のエラーについては、対物レンズ２５−１における場合と同様に、３軸アクチュエータによって、そのエラーがなくなるように調整（制御）されるものの、ボビン２６が（第1の光学系の）対物レンズ２５−１のタンジェンシャルチルト方向のエラーがなくなるように組みつけられているため、ボビン２６に対物レンズ２５−２を組み付けたときの対物レンズ２５−２の姿勢（角度）が対物レンズ２５−１と完全に一致しない限り、対物レンズ２５−２の、対物レンズ２５−１に対する相対的なタンジェンシャルチルト方向のエラーが発生している。
【００５６】
そこで、コマ収差補正素子７６が、第２の光学系に発生しているタンジェンシャルチルト方向のエラーを補正するために、対物レンズ２５−２とコリメータレンズ１４２−２との間に配置されている。
【００５７】
次に、図６を参照して、コマ収差補正素子７６について説明する。
【００５８】
図６は、図５のコマ収差補正素子７６の正面図（左側）および側面図（右側）を示している。図６において、横（左右）方向がラジアル方向を表し、縦（上下）方向がタンジェンシャル方向を表している。
【００５９】
コマ収差補正素子７６は、ガラスやプラスチックなどを材料とする２枚の透明基板１６１および１６２により構成されている。透明基板１６１と１６２とは、重ね合わせられ、その重なり合った長方形の一辺（図中上側）において、エポキシやアクリル系の接着剤１６３により接着されて結合されている。
【００６０】
コマ収差補正素子７６では、２枚の透明基板１６１および１６２の間の、図中、点線で示されている所定の円１６４の円内に、図示せぬ注入口から液晶が注入され、液晶層が形成されている。そして、円１６４の円内において、第２の光学系に生じるコマ収差に合わせるように、液晶層が、タンジェンシャル方向に対して略対称ないくつかの領域に分割されている。
【００６１】
液晶は、所定の電圧が印加されると、その印加された電圧によって生じる電界に応じて液晶分子の配向が変化する特性を有している。この特性を利用して、コマ収差補正素子７６は、そこを通過するレーザ光の進行方向に垂直な面内での屈折率を、分割された領域ごとに任意に調整することができる。即ち、コマ収差補正素子７６は、分割された領域ごとに、レーザ光の屈折率を変化させることによって、第２の光学系に発生しているタンジェンシャルチルト方向のエラー（コマ収差）を補正することができる。
【００６２】
従って、図５に示す、ボビン２６上に２つの対物レンズ２５−１および２５−２を有するピックアップ部７０の、第１の光学系では、タンジェンシャルチルト方向のエラー（コマ収差）が最小となるようにボビン２６が組み付けられ、第２の光学系では、対物レンズ２５−２とコリメータレンズ１４２−２との間に設けられたコマ収差補正素子７６により、第１の光学系に対して相対的に発生しているタンジェンシャルチルト方向のエラー（コマ収差）が補正される。即ち、２つの対物レンズ２５−１および２５−２を搭載する光ピックアップ部７０において、両方の対物レンズ２５−１および２５−２に対して容易にコマ収差を補正することができる。
【００６３】
これにより、ボビン２６において、一方の対物レンズ（例えば、対物レンズ２５−１）の組み付けを完了後、その状態で、相対スキューがなくなる（最小となる）ように、精度良く他方の対物レンズ（例えば、対物レンズ２５−２）を組み付ける作業（必要性）をなくすことができる。また仮に、精度良く他方の対物レンズを組み付ける作業を行ったとしても、対物レンズ以外の光学系で発生するコマ収差を容易に補正することができる。
【００６４】
なお、フォーカス方向、ラジアル方向、ラジアルチルト方向のエラーについては、第１および第２の光学系ともに、３軸アクチュエータによって、それぞれのエラーがなくなるようにボビン２６が駆動される。
【００６５】
次に、図７のフローチャートを参照して、ディスクドライブ装置１１の光ピックアップ制御処理について説明する。
【００６６】
制御回路７３は、入力装置７４から供給されるユーザの操作に対応した操作信号に応じて、ディスクドライブ装置１１に装着されている光ディスク１の再生を開始させる。そして、ステップＳ１において、光ピックアップ部７０は、光ディスク１にレーザ光を照射し、光ディスク１に反射して返ってきた反射光をフォトディテクタ（PD）で検出し、電気信号に変換して得られた信号をPD信号として演算回路７１に出力して、ステップＳ２に進む。
【００６７】
ステップＳ２において、演算回路７１は、光ピックアップ部７０から供給されるPD信号から、情報再生用のデータ検出信号（RF信号）、フォーカスエラー信号、およびトラッキングエラー信号を算出し、データ検出信号を再生回路７２に出力するとともに、フォーカスエラー信号およびトラッキングエラー信号を制御回路７３に出力して、ステップＳ３に進む。
【００６８】
ステップＳ３において、制御回路７３は、演算回路７１から供給されるフォーカスエラー信号およびトラッキングエラー信号に基づいて、スピンドルモータ２３、トラッキングモータ２８、３軸アクチュエータ７５、またはコマ収差補正素子７６を制御する（駆動させる）。そして、光ディスク１の再生の終了とともに、光ピックアップ制御処理が終了される。
【００６９】
ところで、２つの対物レンズを搭載した場合、光ピックアップ部７０は、当然ながら、１つの対物レンズのみを搭載した場合と比べて、サイズが大きくなってしまう。光ピックアップ部７０の大型化は、スペースの問題（所定のスペース内に光ピックアップ部７０を収納することができない、またはスペースに余裕がなくなるという問題）や、光ピックアップ部７０のバランスが悪くなり制御を難しくさせるという問題などを発生させる。
【００７０】
そこで、次に、光ピックアップ部７０をより小型化する方法について説明する。
【００７１】
図８は、上述した図４のボビン２６に搭載されている対物レンズ２５−１または２５−２の側面図を示している。
【００７２】
対物レンズ２５−１（または２５−２）は、レンズ本体２０１と、ボビン２６に対物レンズ２５−１を固定するためのフランジ部２０２とから構成されている。
【００７３】
対物レンズ２５−１では、レーザ光がレンズ本体２０１を通過して集光されるようになっている。フランジ部２０２は、集光に影響のない部分であり、ボビン２６と接着される。
【００７４】
図９は、図４に示したボビン２６の対物レンズ２５−１および２５−２が搭載されている面の上面図を示している（ボビンの第１実施の形態）。
【００７５】
対物レンズ２５−１と対物レンズ２５−２とは、図９に示すように、所定の間隔（例えば、０．２mm）を開けて配置されている。ここで、対物レンズ２５−１のフランジ部２０２−１の幅は、例えば、０．２mmとされ、対物レンズ２５−２のフランジ部２０２−２の幅は、例えば、０．２mmとされる。なお、対物レンズ間の間隔、並びにフランジ部２０２−１および２０２−２の幅は、上述した数値に限定されるものではない。
【００７６】
対物レンズ２５−１（２５−２も同様）がプラスチックレンズである場合、対物レンズ２５−１は、次のようにして製造されるのが一般的である。即ち、対物レンズ２５−１は、十字型または放射型をした棒状ランナの各先端にキャビティ（成形品空間）が連結された状態で射出成形される。そして、対物レンズ２５−１と棒状ランナとの連結部分であるゲート部がカット（ゲートカット）されて、１つの対物レンズ２５−１に分離される。
【００７７】
そこで、対物レンズ２５−１を棒状ランナと分離させる（ゲートカットする）際、対物レンズ２５−１のゲート部をカットするのではなく、対物レンズ２５−１のフランジ部２０２−１をカットすることにより、対物レンズ２５−１をさらに小型化し、その小型化された分に応じて対物レンズ中心間（対物レンズ２５−１と２５−２の中心どうし）の距離を短縮し、ボビン２６を小型化する。
【００７８】
図１０は、ボビンの第２実施の形態を示している。
【００７９】
図１０では、図９の対物レンズ２５−１に代えて対物レンズ２３１が、図９と同様の対物レンズ２５−２とともに、ボビン２２１に搭載されている。
【００８０】
対物レンズ２３１は、フランジ部２０２−１の対物レンズ２５−２に近接する部分（斜線を付してある部分）が直線状にカットされている点のみが、図９の対物レンズ２５−１と異なる。対物レンズ２３１と２５−２との間隔（０．２mm）は保たれているものの、フランジ部２０２−１の対物レンズ２５−２に近接する部分がカットされている分の幅（０．２mm）だけ、対物レンズ２３１と２５−２との（レンズ本体２０１の）中心間の距離は、短縮されている。これにより、ボビン２２１の図中横方向（タンジェンシャル方向）の大きさ（幅）も、ボビン２６（図９）と比べて、約０．２mm小型化されたものとなる。
【００８１】
図１１は、ボビンの第３実施の形態を示している。
【００８２】
図１１では、図１０の対物レンズ２５−２に代えて対物レンズ２５１が、図１０と同様の対物レンズ２３１とともに、ボビン２４１に搭載されている。
【００８３】
対物レンズ２５１は、フランジ部２０２−２の対物レンズ２３１に近接する部分が直線状にカットされている点のみが、図１０の対物レンズ２５−２と異なる。即ち、対物レンズ２３１と２５１との間隔（０．２mm）は保たれているものの、フランジ部２０２−２の対物レンズ２３１に近接する部分がカットされている分（０．２mm）だけ、対物レンズ２３１と２５１との（レンズ本体２０１の）中心間の距離は、図１０のボビン２２１より短縮されている。これにより、ボビン２４１の図中横方向（タンジェンシャル方向）の大きさ（幅）も、ボビン２６（図９）と比べて、約０．４mm小型化されたものとなる。
【００８４】
図１２は、ボビンの第４実施の形態を示している。
【００８５】
図１２では、図９の対物レンズ２５−１に代えて対物レンズ２７１が、図９と同様の対物レンズ２５−２とともに、ボビン２６１に搭載されている。
【００８６】
対物レンズ２７１は、フランジ部２０２−１の対物レンズ２５−２に近接する部分がカットされている点が、図９の対物レンズ２５−１と異なる。ここで、対物レンズ２７１のフランジ部２０２−１は、対物レンズ２５−２の外形に沿ってカットされている。そして、対物レンズ２７１のフランジ部２０２−１のカットされた凹部と、対物レンズ２５−２とが接して配置されている。これにより、ボビン２６１の図中横方向（タンジェンシャル方向）の大きさ（幅）も、ボビン２６（図９）と比べて、（対物レンズ２７１のフランジ部０．２mmとレンズ間距離０．２mmの和である）約０．４mm小型化されたものとなる。
【００８７】
図１０乃至図１２に示したように、第1または第２の対物レンズのうちの少なくとも一方の、集光に影響のないフランジ部２０２をカットし、第１と第２の対物レンズを、フランジ部２０２がカットされた分に応じて近接して配置させることにより、ボビンを小型化することができ、さらに、光ピックアップ部７０全体の小型化も可能となる。
【００８８】
また、対物レンズ（レンズ本体２０１）の中心間の距離を短縮することは、次のような効果もある。
【００８９】
トラッキング制御方法の一つに３ビーム法がある。３ビーム法は、メインビーム（ビーム光）の両隣にサブビームを作り、サブビームからの反射光強度が一定になるように光ピックアップ部７０を制御する手法である。
【００９０】
図５に示したように、２つの対物レンズがタンジェンシャル方向に並ぶ光ピックアップ部７０において、一方の対物レンズ（図５では、対物レンズ２５−１）を同径ライン（光ディスク１のラジアル方向）上に配置した場合、他方の対物レンズ（図５では、対物レンズ２５−２）は、同径ライン上から外れてしまうことになる。
【００９１】
光ディスク１の同径ライン上では、トラックは、光ディスク１の外周側から内周側までのいずれの位置においてもラジアル方向に対して垂直であり、トラックに対するサブビームの位置は、光ディスク１の外周から内周までほぼ同一である。一方、対物レンズ２５−２のように、光ディスク１の同径ライン上からタンジェンシャル方向に対物レンズの位置が外れる場合、その位置が同径ライン上から離れるほど、トラックの曲率の変化により、光ディスク１の外周と内周とでトラックに対するサブビームの位置がずれるため、光ディスク１の外周側から内周側までのすべての位置において正確なトラッキング制御を行うことが困難になってくる。
【００９２】
従って、２つの対物レンズがタンジェンシャル方向に並ぶ光ピックアップ部７０において、対物レンズの中心間の距離を短縮する（光ピックアップ部７０を小型化する）ことは、トラッキング制御方法に３ビーム法を採用した場合に、同径ライン上にない対物レンズに対するトラッキング制御（トラッキングサーボ特性の確保）を容易にし、検出感度を高めるという効果を奏する。
【００９３】
また、光ピックアップ部７０を小型化することは、光ピックアップ部７０の剛性を強化したり、光ピックアップ部７０の軽量化などにも貢献する。
【００９４】
なお、上述した例では、対物レンズがプラスチックレンズである場合について説明したが、対物レンズがガラスレンズである場合についても、同様にフランジ部をカットすることにより、ボビンを小型化することができる。
【００９５】
上述した実施の形態においては、２つの対物レンズがタンジェンシャル方向に並ぶ光ピックアップ装置について説明したが、２つの対物レンズをラジアル方向に並ぶようにすることもできる。
【００９６】
なお、図４を参照して説明したように、２つの対物レンズがタンジェンシャル方向に並んで配置されている場合には、３軸アクチュエータ７５がフォーカス方向、ラジアル方向、およびラジアルチルト方向のエラーを制御し、コマ収差補正素子７６がタンジェンシャルチルト方向のエラーを制御（補正）するようにしたが、２つの対物レンズがラジアル方向に並んで配置されている場合には、光ディスク１とのワーキングディスタンス（W.D.）を確保するために、３軸アクチュエータ７５がフォーカス方向、ラジアル方向、およびタンジェンシャルチルト方向のエラーを制御し、コマ収差補正素子７６がラジアルチルト方向のエラーを制御（補正）するようにしたほうがよいと考えられる。
【００９７】
換言すれば、コマ収差補正素子７６は、タンジェンシャルチルト方向またはラジアルチルト方向のどちらの方向のコマ収差を補正するようにも配置することができる。
【００９８】
また、コマ収差補正素子７６は、相対スキューが発生している第１または第２の光学系のいずれか一方に設けるようにすればよいので、同径ライン上の第1の光学系において相対スキューが発生している場合には、第1の光学系のコリメータレンズ１４２−１と対物レンズ２５−２との間にコマ収差補正素子７６が配置される。
【００９９】
なお、本明細書において、フローチャートに記述されたステップは、記載された順序に沿って時系列的に行われる処理はもちろん、必ずしも時系列的に処理されなくとも、並列的あるいは個別に実行される処理をも含むものである。
【図面の簡単な説明】
【０１００】
【図１】軸方向について説明する図である。
【図２】本発明を適用したディスクドライブ装置の斜視図である。
【図３】図２のディスクドライブ装置の機能的なブロック図である。
【図４】光ピックアップ部７０の詳細な構成を示す斜視図である。
【図５】光ピックアップ部７０の光学系を説明する図である。
【図６】コマ収差補正素子７６を説明する図である。
【図７】ディスクドライブ装置１１の光ピックアップ制御処理を説明するフローチャートである。
【図８】対物レンズ２５−１または２５−２の側面図である。
【図９】ボビンの第１実施の形態を示す図である。
【図１０】ボビンの第２実施の形態を示す図である。
【図１１】ボビンの第３実施の形態を示す図である。
【図１２】ボビンの第４実施の形態を示す図である。
【符号の説明】
【０１０１】
１    光ディスク，  ２５−１，２５−２    対物レンズ，  ２６    ボビン，  ７０    光ピックアップ部，  ７５    ３軸アクチュエータ，  ７６    コマ収差補正素子，  １４１−１，１４１−２    レーザダイオード，  １４２−１，１４２−２    コリメータレンズ，  ２２１    ボビン，  ２３１    対物レンズ，  ２４１    ボビン，  ２５１    対物レンズ，  ２６１    ボビン，  ２７１    対物レンズ
【図１】
2006172610.tif 000003
【図２】
2006172610.tif 000004
【図３】
2006172610.tif 000005
【図４】
2006172610.tif 000006
【図５】
2006172610.tif 000007
【図６】
2006172610.tif 000008
【図７】
2006172610.tif 000009
【図８】
2006172610.tif 000010
【図９】
2006172610.tif 000011
【図１０】
2006172610.tif 000012
【図１１】
2006172610.tif 000013
【図１２】
2006172610.tif 000014